(57)【要約】【課題】チャンネルマップへの登録時に通常番組とオーディオチャンネルとを識別できるように登録することで、このような通常番組以外に、音声放送が主体となるオーディオチャンネルが混在する場合であっても、通常番組のみのアップ・ダウンまたはオーディオチャンネルのみのアップ・ダウンを可能とする。【解決手段】メモリ７に記憶されているチャンネルマップには、サブチャンネルがオーディオチャンネルであることを登録するためのオーディオ登録領域が設けられており、制御部８は、前記チャンネルマップへのチャンネル情報の登録時に受信しているサブチャンネルがオーディオチャンネルであるか否かを識別し、オーディオチャンネルである場合には該当するサブチャンネルのオーディオ登録領域にオーディオチャンネルであることを登録し、選局動作時にオーディオ登録領域を参照してチャンネル選局動作を行う。【選択図】図１
2008035327.tif 000002
【特許請求の範囲】
【請求項１】
１つの物理チャンネルで複数のサブチャンネルの番組が放送できるＡＴＳＣ（Advanced Television Systems Committee）規格に準拠したデジタル放送信号を受信する受信手段と、この受信手段で受信する前記デジタル放送信号の物理チャンネル及びサブチャンネルの切り替えを行う選局手段と、この選局手段で物理チャンネルを切り替えながら、物理チャンネル毎に番組が放送されているかどうかを検出し、番組が放送されている物理チャンネルについてはチャンネル情報を取得して、物理チャンネルとサブチャンネルとを対応付けてチャンネルマップに登録する登録手段と、前記チャンネルマップに登録されているチャンネル情報に基づいてチャンネルの選局動作を制御する制御手段とを備えた放送信号受信装置において、
前記チャンネルマップには、サブチャンネルがオーディオチャンネルであることを登録するためのオーディオ登録領域が設けられており、
前記登録手段は、前記チャンネルマップへのチャンネル情報の登録時に受信しているサブチャンネルがオーディオチャンネルであるか否かを、前記ＡＴＳＣ規格に準拠したＰＭＴ（Program Map Table）または前記ＡＴＳＣ規格に準拠したＰＳＩＰ（Program and System Information Protocol）に含まれるＶＣＴ（Virtual Channel Table）の情報に基づいて識別し、オーディオチャンネルである場合には該当するサブチャンネルのオーディオ登録領域にオーディオチャンネルであることを登録し、
前記制御手段は、選局動作時に前記オーディオ登録領域を参照することにより、前記チャンネルマップに登録されているビデオチャンネルのみ、またはオーディオチャンネルのみのチャンネルアップ・ダウンを行うとともに、前記チャンネルマップに登録されているビデオチャンネルを最後までチャンネルアップまたはチャンネルダウンすると、次にオーディオチャンネルのチャンネルアップまたはチャンネルダウンに移行し、前記チャンネルマップに登録されているオーディオチャンネルを最後までチャンネルアップまたはチャンネルダウンすると、次にビデオチャンネルのチャンネルアップまたはチャンネルダウンに移行することを特徴とする放送信号受信装置。
【請求項２】
１つの物理チャンネルで複数のサブチャンネルの番組が放送できるデジタル放送信号を受信する受信手段と、この受信手段で受信する前記デジタル放送信号の物理チャンネル及びサブチャンネルの切り替えを行う選局手段と、この選局手段で物理チャンネルを切り替えながら、物理チャンネル毎に番組が放送されているかどうかを検出し、番組が放送されている物理チャンネルについてはチャンネル情報を取得して、物理チャンネルとサブチャンネルとを対応付けてチャンネルマップに登録する登録手段と、前記チャンネルマップに登録されているチャンネル情報に基づいてチャンネルの選局動作を制御する制御手段とを備えた放送信号受信装置において、
前記チャンネルマップには、サブチャンネルがオーディオチャンネルであることを登録するためのオーディオ登録領域が設けられており、
前記登録手段は、前記チャンネルマップへのチャンネル情報の登録時に受信しているサブチャンネルがオーディオチャンネルであるか否かを識別し、オーディオチャンネルである場合には該当するサブチャンネルのオーディオ登録領域にオーディオチャンネルであることを登録し、
前記制御手段は、選局動作時に前記オーディオ登録領域も参照してチャンネル選局動作を行うことを特徴とする放送信号受信装置。
【請求項３】
前記デジタル放送信号が、ＡＴＳＣ（Advanced Television Systems Committee）規格に準拠したデジタル放送信号であり、
前記登録手段は、前記ＡＴＳＣ規格に準拠したＰＭＴ（Program Map Table）または前記ＡＴＳＣ規格に準拠したＰＳＩＰ（Program and System Information Protocol）に含まれるＶＣＴ（Virtual Channel Table）の情報に基づいてオーディオチャンネルであるか否かを識別することを特徴とする請求項２に記載の放送信号受信装置。
【請求項４】
前記登録手段は、前記ＰＭＴを用いて識別する場合に、前記ＰＭＴ内のＰＣＲＰＩＤ(Program Clock Reference Packet Identifier)またはＶＩＤＥＯＰＩＤ(Packet Identifier)の記述内容に基づいてオーディオチャンネルであるか否かを識別することを特徴とする請求項３に記載の放送信号受信装置。
【請求項５】
前記登録手段は、前記ＰＭＴを用いて識別する場合に、前記選局手段によりオーディオデータが復調できた場合には、ビデオデータのＭＰＥＧ(Moving Picture Experts Group)−２のＴＳ（Transport-_Stream)パケットまたはＰＥＳ(Packetized Elementary Stream)パケットの記述内容、またはシーケンスヘッダの獲得時間に基づいてオーディオチャンネルであるか否かを識別することを特徴とする請求項３に記載の放送信号受信装置。
【請求項６】
前記登録手段は、前記ＶＣＴを用いて識別する場合に、前記ＶＣＴ内のＰＣＲＰＩＤ(Program Clock Reference Packet Identifier)またはservice_typeの記述内容に基づいてオーディオチャンネルであるか否かを識別することを特徴とする請求項３に記載の放送信号受信装置。
【請求項７】
前記登録手段は、前記ＶＣＴを用いて識別する場合に、前記選局手段によりオーディオデータが復調できた場合には、ビデオデータのＭＰＥＧ(Moving Picture Experts Group)−２のＴＳ（Transport_Stream)パケットまたはＰＥＳ(Packetized Elementary Stream)パケットの記述内容、またはシーケンスヘッダの獲得時間に基づいてオーディオチャンネルであるか否かを識別することを特徴とする請求項３に記載の放送信号受信装置。
【請求項８】
ユーザ操作によりチャンネルの選局指示を行う指示手段を備えており、
前記制御手段は、前記指示手段によりチャンネルアップ・ダウンによる選局指示が行われるたびに、前記チャンネルマップに登録されているビデオチャンネルのみ、またはオーディオチャンネルのみのチャンネルアップ・ダウンを行うことを特徴とする請求項１に記載の放送信号受信装置。
【請求項９】
前記制御手段は、前記チャンネルマップに登録されているビデオチャンネルを最後までチャンネルアップまたはチャンネルダウンすると、次にオーディオチャンネルのチャンネルアップまたはチャンネルダウンに移行することを特徴とする請求項８に記載の放送信号受信装置。
【請求項１０】
前記制御手段は、前記チャンネルマップに登録されているオーディオチャンネルを最後までチャンネルアップまたはチャンネルダウンすると、次にビデオチャンネルのチャンネルアップまたはチャンネルダウンに移行することを特徴とする請求項８に記載の放送信号受信装置。
【請求項１１】
前記指示手段は、チャンネルアップ・ダウンの選局指示をビデオチャンネル側またはオーディオチャンネル側のいずれかに切り替える切替手段をさらに備えていることを特徴とする請求項８に記載の放送信号受信装置。
【請求項１２】
受信チャンネルの映像を表示する表示手段を備えており、
前記制御手段は、受信チャンネルがオーディオチャンネルである場合には、前記表示手段の表示モードを省電力モードに移行させることを特徴とする請求項２に記載の放送信号受信装置。
【請求項１３】
受信チャンネルの映像を表示する表示手段を備えており、
前記制御手段は、受信チャンネルがオーディオチャンネルである場合には、受信チャンネルがオーディオチャンネルであることを前記表示手段に表示することを特徴とする請求項２に記載の放送信号受信装置。
【発明の詳細な説明】
【技術分野】
【０００１】
本発明は、１つの物理チャンネルで複数のサブチャンネルの番組が放送できるＡＴＳＣ（Advanced Television Systems Committee）規格に準拠したデジタル放送信号を受信する放送信号受信装置に関する。
【背景技術】
【０００２】
近年、北米においては、放送局からＡＴＳＣ（Advanced Television Systems Committee）規格に準拠するデジタル放送が配信されている。このデジタル放送を受信して、既存のＮＴＳＣ（National Television Systems Committee）のアナログ放送対応のテレビジョン受像機が受像可能な信号に変換するための放送信号受信装置（セットトップボックス：以下ＳＴＢと記す）が普及しつつある。
【０００３】
ＡＴＳＣ規格のデジタル放送では、アナログ放送信号とは異なる物理チャンネルによりデジタル放送信号が発信されている。１つの物理チャンネルは、１または複数のコンテンツを発信するためのサブチャンネルを含み、このサブチャンネルには、同一または同一系統の放送局から発信されるアナログ放送の物理チャンネル番号と同一の番号及びサブチャンネル番号からなる仮想チャンネル番号が付与されている。従って、仮想チャンネルは、物理チャンネルとサブチャンネルとにより階層的に構成されている。
【０００４】
デジタル放送の放送信号は、映像信号、音声信号及び制御信号からなり、ＡＴＳＣ規格のデジタル放送では、前記制御信号に仮想チャンネル番号や放送局名に関する情報を含んだＰＳＩＰ（Program and System Information Protocol）を添付して発信されるように義務付けられている。ＳＴＢの制御部は、このＰＳＩＰを取得・解析して得られたＶＣＴ（Virtual Channel Table）を参照することにより、受信する仮想チャンネル番号を特定できる。デジタル放送では、既に述べたように、各チャンネルは物理チャンネル番号とサブチャンネル番号とにより階層的に構成されており、その構成は複雑であるため、ユーザは自らが選択したチャンネルの構成を理解できない場合がある。
【０００５】
そこで、ＳＴＢでは、物理チャンネル番号、仮想チャンネル番号、サブチャンネル番号を登録するチャンネルマップ（チャンネルテーブル）を備えており、このチャンネルマップをＲＡＭ上に展開し、チャンネルのアップ・ダウン時にこのチャンネルマップを使用するようになっている（例えば、特許文献１，２参照）。
【０００６】
特許文献１には、デジタル放送におけるカテゴリ（テレビやラジオのデータ）をキーで選択でき、放送カテゴリを選択した状態でアップ・ダウンキーを押すと、その放送カテゴリに属するチャンネルのみを次々と選局することが記載されている。
【０００７】
また、特許文献２には、各チャンネルが放送中であるか否かを示すチャンネルマップを作成し、ユーザによりチャンネルアップ・ダウンキーが操作された際には、チャンネルマップを利用して放送中のチャンネルのみを選局することが記載されている。
【特許文献１】特開２００２−７７７４８号公報
【特許文献２】特開２００４−３６４２１６号公報
【発明の開示】
【発明が解決しようとする課題】
【０００８】
ところで、米国のデジタル放送、特にケーブルデジタル放送では、テレビ番組等の通常番組以外に、音声放送が主体となるラジオチャンネル（以下「オーディオチャンネル」とも言う。）が混在する場合がある。これは放送局によっては大量に含まれる場合があり、これらがチャンネルマップに登録されると、チャンネルアップ・ダウンで通常番組を選局することが困難となり、非常に使いづらいものになるといった問題があった。
【０００９】
本発明はかかる問題点を解決すべく創案されたもので、その目的は、チャンネルマップへの登録時に通常番組（以下「ビデオチャンネル」とも言う。）とオーディオチャンネルとを識別できるように登録することで、このような通常番組以外に、音声放送が主体となるラジオチャンネルが混在する場合であっても、通常番組のみのアップ・ダウンまたはオーディオチャンネルのみのアップ・ダウンを可能としたデジタル放送受信装置を提供することにある。
【課題を解決するための手段】
【００１０】
上記課題を解決するため、本発明のデジタル放送受信装置は、１つの物理チャンネルで複数のサブチャンネルの番組が放送できるデジタル放送信号を受信する受信手段と、この受信手段で受信する前記デジタル放送信号の物理チャンネル及びサブチャンネルの切り替えを行う選局手段と、この選局手段で物理チャンネルを切り替えながら、物理チャンネル毎に番組が放送されているかどうかを検出し、番組が放送されている物理チャンネルについてはチャンネル情報を取得して、物理チャンネルとサブチャンネルとを対応付けてチャンネルマップに登録する登録手段と、前記チャンネルマップに登録されているチャンネル情報に基づいてチャンネルの選局動作を制御する制御手段とを備えた放送信号受信装置において、前記チャンネルマップには、サブチャンネルがオーディオチャンネルであることを登録するためのオーディオ登録領域が設けられており、前記登録手段は、前記チャンネルマップへのチャンネル情報の登録時に受信しているサブチャンネルがオーディオチャンネルであるか否かを識別し、オーディオチャンネルである場合には該当するサブチャンネルのオーディオ登録領域にオーディオチャンネルであることを登録し、前記制御手段は、選局動作時に前記オーディオ登録領域も参照してチャンネル選局動作を行うことを特徴としている。
【００１１】
ここで、前記デジタル放送信号が、ＡＴＳＣ（Advanced Television Systems Committee）規格に準拠したデジタル放送信号であり、前記登録手段は、前記ＡＴＳＣ規格に準拠したＰＭＴ（Program Map Table）または前記ＡＴＳＣ規格に準拠したＰＳＩＰ（Program and System Information Protocol）に含まれるＶＣＴ（Virtual Channel Table）の情報に基づいてオーディオチャンネルであるか否かを識別する。
【００１２】
より具体的に説明すると、前記登録手段は、前記ＰＭＴを用いて識別する場合に、前記ＰＭＴ内のＰＣＲＰＩＤ(Program Clock Reference Packet Identifier)またはＶＩＤＥＯＰＩＤ(Packet Identifier)の記述内容に基づいてオーディオチャンネルであるか否かを識別する。また、前記登録手段は、前記ＰＭＴを用いて識別する場合に、前記選局手段によりオーディオデータが復調できた場合には、ビデオデータのＭＰＥＧ(Moving Picture Experts Group)−２のＴＳ（Transport Stream)パケットまたはＰＥＳ(Packetized Elementary Stream)パケットの記述内容、またはシーケンスヘッダの獲得時間に基づいてオーディオチャンネルであるか否かを識別する。
【００１３】
また、前記登録手段は、前記ＶＣＴを用いて識別する場合に、前記ＶＣＴ内のＰＣＲＰＩＤ(Program Clock Reference Packet Identifier)またはservice typeの記述内容に基づいてオーディオチャンネルであるか否かを識別する。また、前記登録手段は、前記ＶＣＴを用いて識別する場合に、前記選局手段によりオーディオデータが復調できた場合には、ビデオデータのＭＰＥＧ(Moving Picture Experts Group)−２のＴＳ（Transport Stream)パケットまたはＰＥＳ(Packetized Elementary Stream)パケットの記述内容、またはシーケンスヘッダの獲得時間に基づいてオーディオチャンネルであるか否かを識別する。
【００１４】
また、本発明の放送信号受信装置は、ユーザ操作によりチャンネルの選局指示を行う指示手段を備えており、前記制御手段は、前記指示手段によりチャンネルアップ・ダウンによる選局指示が行われるたびに、前記チャンネルマップに登録されているビデオチャンネルのみ、またはオーディオチャンネルのみのチャンネルアップ・ダウンを行うように構成することができる。これにより、チャンネルアップ・ダウン操作で通常番組（ビデオチャンネル）のみ、またはオーディオチャンネルのみのアップ・ダウンを行うことができ、ユーザの使い勝手が向上する。
【００１５】
この場合、前記制御手段は、前記チャンネルマップに登録されているビデオチャンネルを最後までチャンネルアップまたはチャンネルダウンすると、次にオーディオチャンネルのチャンネルアップまたはチャンネルダウンに移行し、または前記チャンネルマップに登録されているオーディオチャンネルを最後までチャンネルアップまたはチャンネルダウンすると、次にビデオチャンネルのチャンネルアップまたはチャンネルダウンに移行するように構成してもよい。これにより、通常番組とオーディオチャンネルとを連続的にアップ・ダウンして選局することが可能となる。
【００１６】
また、前記指示手段は、チャンネルアップ・ダウンの選局指示をビデオチャンネル側またはオーディオチャンネル側のいずれかに切り替える切替手段をさらに備えていてもよい。これにより、ユーザの意思によって、ビデオチャンネルの選局かオーディオチャンネルの選局かを選択することができる。
【００１７】
また、本発明の放送信号受信装置は、受信チャンネルの映像を表示する表示手段を備えており、前記制御手段は、受信チャンネルがオーディオチャンネルである場合には、前記表示手段の表示モードを省電力モードに移行させるように構成してもよい。これにより、無駄な電力消費を防止することができる。
【００１８】
また、本発明の放送信号受信装置は、受信チャンネルの映像を表示する表示手段を備えており、前記制御手段は、受信チャンネルがオーディオチャンネルである場合には、受信チャンネルがオーディオチャンネルであることを前記表示手段に表示するように構成してもよい。これにより、ユーザは、現在の受信チャンネルがオーディオチャンネルであることを認識することができる。
【発明の効果】
【００１９】
本発明の放送信号受信装置によれば、チャンネルマップへのチャンネル情報の登録時に受信しているサブチャンネルがオーディオチャンネルであるか否かを識別し、オーディオチャンネルである場合には該当するサブチャンネルのオーディオ登録領域にオーディオチャンネルであることを登録するように構成したので、制御手段では、選局動作時にこのオーディオ登録領域を参照してチャンネル選局動作を行うことができる。これにより、例えば通常番組以外に、音声放送が主体となるオーディオチャンネルが混在する場合であっても、チャンネルアップ・ダウン時に通常番組のみまたはオーディオチャンネルのみを選局することが可能となる。
【発明を実施するための最良の形態】
【００２０】
以下、本発明の実施の形態について、図面を参照して説明する。
【００２１】
図１は、本実施形態に係わる放送信号受信装置の電気的構成を示す機能ブロック図であり、本実施形態ではＳＴＢのブロック構成図を示している。
【００２２】
ＳＴＢ１は、本体ボタンまたはリモコン等の入力装置１１を用いたユーザからのチャンネル変更等の操作入力に応じて、テレビジョン放送局から発信されＡＴＳＣ規格に準拠する符号化されたデジタル放送信号をアンテナ１０により受信し、ＮＴＳＣに準拠した映像信号に変換して表示装置（表示手段）１２に表示させる装置である。チャンネル変更の操作としては、例えば、入力装置に備えられているテンキー（数字キー）で直接的にチャンネル番号を入力して変更する方法と、同入力装置１１に備えられているチャンネルアップ・ダウンキー（矢印キー）を操作して上下に隣接するチャンネルに変更する方法が採られている。
【００２３】
ＳＴＢ１は、ユーザが、後者のチャンネルアップ・ダウンキーを操作してチャンネルを変更したときにも、変更先の仮想チャンネル番号を即座に理解できるように、ＰＳＩＰを取得・解析することにより受信する仮想チャンネル番号を特定し、表示装置１２にＯＳＤ表示させる機能を有している。なお、ＡＴＳＣ規格では、ＭＰＥＧ−２規格により動画圧縮されパケット化されたデジタル放送信号が発信されている。
【００２４】
ＳＴＢ１は、例えば、８ＶＳＢ（Vestigial Side Band）の変調方式により送信されるデジタル放送信号を受信するチューナ２と、チューナ２により受信したデジタル放送信号をトランスポートストリーム（Transport Stream：以下、ＴＳと記す）信号に変換するＴＳ変換回路４と、ＴＳ変換回路４が変換したＴＳ信号を解析して映像信号を復号し、表示装置１２に映像を表示させるＴＳ解析回路６と、デジタル放送の各物理チャンネルの発信周波数、放送言語等に関するチャンネル情報や、物理チャンネルとサブチャンネルとを対応付けたチャンネルマップ情報等を記憶する記憶手段であるメモリ７と、所定の放送言語のデジタル音声信号を抽出し、スピーカ装置１５に音声を出力させる音声出力回路９と、受信装置各部を制御するＣＰＵからなる制御部（制御手段）８とを備えている。チャンネルマップ情報は、装置の初期設定時等に放送信号周波数帯域の全域をスキャンすることで登録され、その後の選局動作時に使用される。
【００２５】
チューナ２は、アンテナ１０により受信されたデジタル放送信号の供給を受け、ユーザが入力装置１１から制御部８に入力した指令に応じて選局動作を行なうことによって、ユーザが入力したチャンネルに対応する周波数帯域に存在する８ＶＳＢ変調のデジタル放送信号を受信する。ＴＳ変換回路４は、チューナ２が受信した８ＶＳＢ変調の放送信号をＴＳ信号に変換する。
【００２６】
ＴＳ解析回路６は、ＴＳ変換回路４が変換したＴＳ信号を解析し、必要に応じてＯＳＤ表示を付加した映像信号を表示装置１２に出力する。図２は、ＴＳ解析回路６のブロック構成を示す。ＴＳ解析回路６は、トランスポートパーサ６ａ、外部メモリインターフェース６ｂ、ビデオデコーダ６ｃ、ディスプレイコントローラ６ｄ、ＯＳＤ回路６ｅ、デジタルビデオエンコーダ６ｆ、オーディオインターフェース６ｇ、ホストプロセッサインターフェース６ｈ、及びＰＬＬ（Phase Locked Loop）回路６ｉを備えている。
【００２７】
トランスポートパーサ６ａは、ＴＳ変換回路４から伝送されたＴＳ信号を取得し、これを映像信号、音声信号及び制御信号に分解する。外部メモリインターフェース６ｂは、ホストプロセッサインターフェース６ｈを介して制御部８からの指令を受け、トランスポートパーサ６ａ、ビデオデコーダ６ｃ及びディスプレイコントローラ６ｄとメモリ７との接続を司る。例えば、トランスポートパーサ６ａによって分解された映像信号、音声信号及び制御信号は、それぞれ、外部メモリインターフェース６ｂを介してメモリ７に格納される。
【００２８】
ビデオデコーダ６ｃは、制御部８からの指令を受け、メモリ７に格納させた映像信号を読み出して復号する。ディスプレイコントローラ６ｄは、制御部８からの指令を受け、ビデオデコーダ６ｃが復号した映像信号をＮＴＳＣのフォーマットに変換する。ＯＳＤ回路６ｅは、制御部８からの指令を受け、ビデオデコーダ６ｃが変換したＮＴＳＣの映像信号をデジタルビデオエンコーダ６ｆに送出する他、必要に応じて映像信号にＯＳＤ表示を付加した信号をデジタルビデオエンコーダ６ｆに送出する。このＯＳＤ回路６ｅは、制御部８からの指令に応じて、１フレームの映像信号ごとにＯＳＤ表示を付加する演算処理を行い、所定の色によるＯＳＤ表示を表示装置１２に表示させることができる。また、上記演算処理を行うためにＯＳＤ回路６ｅには、メモリが内蔵されている。
【００２９】
デジタルビデオエンコーダ６ｆは、制御部８からの指令を受け、ＯＳＤ回路６ｅから送出された映像信号をアナログ信号に変換して表示装置１２に出力する。オーディオインターフェース６ｇは、トランスポートパーサ６ａが分解した音声信号を音声出力回路９に送出する。また、ホストプロセッサインターフェース６ｈは、制御部８からの指令をトランスポートパーサ６ａ、外部メモリインターフェース６ｂ、ビデオデコーダ６ｃ、ディスプレイコントローラ６ｄ、ＯＳＤ回路６ｅ、及びデジタルビデオエンコーダ６ｆに伝送する。また、ＰＬＬ回路６ｉは、入力されるクロック信号に基づいて局部発振周波数を所定の周波数に一致させる。
【００３０】
メモリ７は、各チャンネルの発信周波数等に関するチャンネル情報及び装置の設定に関するメニュー項目等を記憶する。また、メモリ７は、トランスポートパーサ６ａが分解したＭＰＥＧ−２データを記憶する。制御部８は、ユーザによる入力装置１１を用いた入力操作を受けて、各部の制御をデータバス（Data-Bus）を通して行う。例えば、制御部８は、メモリ７に格納された制御信号に含まれるＰＳＩＰを読み出して解析し、それに含まれるステータス信号に基づいて受信するチャンネルの仮想チャンネル番号を取得し、この仮想チャンネル番号をＯＳＤ回路６ｅ、デジタルビデオエンコーダ６ｆを介して表示装置１２に出力させる。
【００３１】
音声出力回路９は、オーディオインターフェース６ｇから取得した音声信号をスピーカ装置１５に対応する音声信号に変換し、この音声信号をスピーカ装置１５に送出する。具体的には、制御部８から指示された放送言語に関する音声信号を抽出し、復号処理し、アナログ信号に変換している。入力装置１１は、ユーザによるチャンネル変更等の操作指令を制御部８に対して入力するための装置である。この入力装置１１の例としては、ＳＴＢ１の前面に設けた本体ボタンや、赤外線等を用いてＳＴＢ１の動作指令を行うリモコン等が挙げられる。表示装置１２は、テレビジョン受像機の表示画面を用いてもよいし、また、ＣＲＴの他、ＬＣＤ（Liquid Crystal Display）やＰＤＰ（Plasma Display Panel）等のフラットパネルディスプレイ装置であってもよい。その際、表示装置１２が、デジタル信号の入力に対応していれば、デジタルビデオエンコーダ６ｆを介さずに、ＯＳＤ回路６ｅから表示装置１２の入力端子に直接に接続する構成であってもよい。スピーカ装置１５は、音声出力回路９に接続され、音声出力回路９にて処理された音声信号に基づいて音声を出力する。
【００３２】
制御部８は、上述したように、ＰＳＩＰを解析し、受信するチャンネルの仮想チャンネル番号を取得し、表示装置１２にＯＳＤ表示させる。また、制御部８は、メモリ７に記憶しているチャンネルマップへのチャンネル番号の登録時に、受信しているサブチャンネルがオーディオチャンネルであるか否かを識別し、オーディオチャンネルである場合には該当するサブチャンネルのオーディオ登録領域（これについては後述する。）にオーディオチャンネルであることを登録する機能を備えている。また、制御部８は、選局動作時にチャンネルマップのオーディオ登録領域を参照して、チャンネル選局動作を行うようになっている。
【００３３】
図３は、メモリ７に記憶されているチャンネルマップの構成例を示している。
【００３４】
このチャンネルマップは、物理チャンネル番号ごとに、仮想チャンネル番号と、番組が放送されているサブチャンネル番号とを対応付けたテーブルとなっている。本実施形態では、このサブチャンネル領域のテーブルを上下２段に構成し、上段に従来通りサブチャンネル番号を登録し、下段をオーディオ登録領域として、このオーディオ登録領域にそのサブチャンネル番号がオーディオチャンネルであることを登録するようになっている。
【００３５】
上記したように、チャンネルマップ情報は、装置の初期設定時等に放送信号周波数帯域の全域をスキャンすることで登録されるが、このとき制御部８は、受信しているサブチャンネルがオーディオチャンネルであるか否かを同時に識別し、オーディオチャンネルである場合には該当するサブチャンネルのオーディオ登録領域にオーディオチャンネルであることを登録（図３では「Ａ」と標記している。）する。また、チャンネルマップ情報は、例えば入力装置１１から更新指示が入力されたときには上記の全域スキャンを実行してチャンネルマップの更新処理を行うが、このときオーディオ登録領域についても同時に更新処理を行う。
【００３６】
ただし、オーディオチャンネルの登録は、ユーザの手動操作によって登録できるようにしてもよい。具体的には、メニュー画面を表示し、表示された内容がオーディオチャンネルである場合に、これを確認してオーディオチャンネルとして登録できるようにする。この場合、例えば画面上にオーディオチャンネルの登録ボタン等を表示しておき、この登録ボタン等をユーザが操作することで、制御部８がチャンネルマップの該当するサブチャンネルのオーディオ登録領域に「Ａ」を登録するように構成すればよい。
【００３７】
次に、受信しているサブチャンネルがオーディオチャンネルであるか否かを識別する手法について、具体的に説明する。なお、以下の手法は全て、ＭＰＥＧ−２規格に準拠している。
【００３８】
（１）ＰＭＴを用いて識別する手法
上記したように、デジタル放送信号はＡＴＳＣ規格に準拠した信号であるので、このＡＴＳＣ規格に準拠したＰＭＴ（Program Map Table）の情報に基づいてオーディオチャンネルであるか否かを識別する。以下、ＰＭＴを用いた識別手法について具体的に説明する。
【００３９】
（１−１）サブチャンネルＰＭＴ内のＰＣＲＰＩＤ(Program Clock Reference Packet Identifier)が無効な値「０ｘ１ＦＦＦ」である場合には、そのサブチャンネルはオーディオチャンネルであると識別できる。
【００４０】
（１−２）サブチャンネルＰＭＴ内のＰＣＲＰＩＤが、同じＰＴＭ内に定義されたＡＵＤＩＯＰＩＤ(Packet Identifier)と一致する場合には、そのサブチャンネルはオーディオチャンネルであると識別できる。
【００４１】
（１−３）サブチャンネルＰＴＭ内にＶＩＤＥＯＰＩＤ(Packet Identifier)が記述されていない場合には、そのサブチャンネルはオーディオチャンネルであると識別できる。
【００４２】
（１−４−１）ＡＵＤＩＯデータが正しく復調でき、かつ、サブチャンネルのＶＩＤＥＯデータのＭＰＥＧ−２のＴＳ（Transport Stream）パケットヘッダ内の(transport_scrambling_control )ビットに、「００」以外の値が記述されている場合には、そのサブチャンネルはオーディオチャンネルであると識別できる。
【００４３】
（１−４−２）ＡＵＤＩＯデータが正しく復調でき、かつ、サブチャンネルのＶＩＤＥＯデータのＭＰＥＧ−２のＰＥＳ(Packetized Elementary Stream)パケット先頭の(packet_start_code_prefix)に、「０ｘ０００００１」以外の値が記述されている場合には、そのサブチャンネルはオーディオチャンネルであると識別できる。 
【００４４】
（１−４−３）ＡＵＤＩＯデータが正しく復調でき、かつ、サブチャンネルのＶＩＤＥＯデータのＭＰＥＧ−２のＰＥＳパケット内の(PES_scrambling_control)ビットに、「０ｘ０」以外の値が記述されている場合には、そのサブチャンネルはオーディオチャンネルであると識別できる。
【００４５】
（１−４−４）ＡＵＤＩＯデータが正しく復調でき、かつ、サブチャンネルのＶＩＤＥＯデータデコード開始からＭＰＥＧ−２シーケンスヘッダ獲得まで、５〜１０秒かかった場合には、そのサブチャンネルはオーディオチャンネルであると識別できる。受信チャンネルがビデオチャンネル（番組チャンネル）である場合、シーケンスヘッダは、通常１秒程度の間隔で送信されるため、このシーケンスヘッダの獲得時間を調べることで識別することができる。なお、上記の５〜１０秒は一例であり、例えば２〜３秒等でもよい。
【００４６】
（１−４−５）ＡＵＤＩＯデータが正しく復調でき、かつ、サブチャンネルのＶＩＤＥＯデータデコード開始から１０秒以上経過しても、ＭＰＥＧ−２シーケンスヘッダが獲得できない場合には、そのサブチャンネルはオーディオチャンネルであると識別できる。ただし、上記の１０秒は一例であり、ＭＰＥＧ−２シーケンスヘッダが獲得できないと確実に判断可能であれば、これより短い時間でもよい。
【００４７】
（２）ＶＣＴを用いて識別する手法
上記したように、デジタル放送信号はＡＴＳＣ規格に準拠した信号であるので、このＡＴＳＣ規格に準拠したＶＣＴ（Virtual Channel Table）の情報に基づいてオーディオチャンネルであるか否かを識別する。以下、ＶＣＴを用いた識別手法について具体的に説明する。なお、ここで言うＶＣＴは、地上波ＶＣＴ（ＴＶＣＴ）またはケーブルＶＣＴ（ＣＶＣＴ）である。
【００４８】
（２−１）ＶＣＴサブチャンネルループ内のＰＣＲＰＩＤが無効な値「０ｘ１ＦＦＦ」である場合には、そのサブチャンネルはオーディオチャンネルであると識別できる。
【００４９】
（２−２）ＶＣＴサブチャンネルループ内のservice_typeに「０ｘ０３(ATSC audio )」が記述されている場合には、そのサブチャンネルはオーディオチャンネルであると識別できる。
【００５０】
（２−３）ＶＣＴサブチャンネルループ内のＰＣＲＰＩＤが、同じサブチャンネルループ内の(Service Location Descriptor)で定義されたＡＵＤＩＯＰＩＤと一致する場合には、そのサブチャンネルはオーディオチャンネルであると識別できる。
【００５１】
（２−４−１）ＡＵＤＩＯデータが正しく復調でき、かつ、サブチャンネルのＶＩＤＥＯデータのＭＰＥＧ−２のＴＳパケットヘッダ内の(transport_scrambling_control )ビットに、「００」以外の値が記述されている場合には、そのサブチャンネルはオーディオチャンネルであると識別できる。
【００５２】
（２−４−２）ＡＵＤＩＯデータが正しく復調でき、かつ、サブチャンネルのＶＩＤＥＯデータのＭＰＥＧ−２のＰＥＳパケット先頭の(packet_start_code_prefix)に、「０ｘ０００００１」以外の値が記述されている場合には、そのサブチャンネルはオーディオチャンネルであると識別できる。 
【００５３】
（２−４−３）ＡＵＤＩＯデータが正しく復調でき、かつ、サブチャンネルのＶＩＤＥＯデータのＭＰＥＧ−２のＰＥＳパケット内の(PES_scrambling_control)ビットに、「０ｘ０」以外の値が記述されている場合には、そのサブチャンネルはオーディオチャンネルであると識別できる。
【００５４】
（２−４−４）ＡＵＤＩＯデータが正しく復調でき、かつ、サブチャンネルのＶＩＤＥＯデータデコード開始からＭＰＥＧ−２シーケンスヘッダ獲得まで、５〜１０秒かかった場合には、そのサブチャンネルはオーディオチャンネルであると識別できる。受信チャンネルがビデオチャンネル（番組チャンネル）である場合、シーケンスヘッダは、通常１秒程度の間隔で送信されるため、このシーケンスヘッダの獲得時間を調べることで識別することができる。なお、上記の５〜１０秒は一例であり、例えば２〜３秒等でもよい。
【００５５】
（２−４−５）ＡＵＤＩＯデータが正しく復調でき、かつ、サブチャンネルのＶＩＤＥＯデータデコード開始から１０秒以上経過しても、ＭＰＥＧ−２シーケンスヘッダが獲得できない場合には、そのサブチャンネルはオーディオチャンネルであると識別できる。ただし、上記の１０秒は一例であり、ＭＰＥＧ−２シーケンスヘッダが獲得できないと確実に判断可能であれば、これより短い時間でもよい。
【００５６】
上記のようにして登録または更新されたチャンネルマップを使用することにより、通常番組（ビデオチャンネル）と音楽放送（オーディオチャンネル）を区別した選局動作を行うことができる。以下、このチャンネルマップを使用してチャンネル選局を行うときの、制御部８によるチャンネル選局動作について、具体的に説明する。
【実施例１】
【００５７】
本実施例１は、入力装置１１のチャンネルアップ・ダウンキーの操作によるチャンネルアップ・ダウン時、制御部８は、チャンネルマップにオーディオチャンネル情報「Ａ」が登録されているサブチャンネルを飛ばしてチャンネルアップ・ダウンを行うように制御する実施例である。
【００５８】
例えば、図３に示すチャンネルマップにおいて、物理チャンネル１３の中のサブチャンネル２の通常番組が表示装置１２の画面に表示されている状態において、入力装置１１のチャンネルアップキーが操作されると、制御部８は、オーディオチャンネル情報「Ａ」が登録されているサブチャンネル３，４をスキップして物理チャンネル１３の中のサブチャンネル５の通常番組を表示装置１２の画面に表示する。そして、この状態において入力装置１１のチャンネルアップキーがさらに操作されると、制御部８は、次の物理チャンネル１４に移行し、この物理チャンネル１４の中でオーディオチャンネル情報「Ａ」が登録されているサブチャンネル１，２，３をスキップして物理チャンネル１４の中のサブチャンネル４の通常番組を表示装置１２の画面に表示する。なお、説明は省略するが、チャンネルダウンキーが操作された場合も同様に、オーディオチャンネルをスキップしながらビデオチャンネルのみを順次選局していく。このような処理により、ユーザは、チャンネルアップ・ダウンキーの操作でオーディオチャンネルをスキップしつつ、ビデオチャンネルのみを順次アップ・ダウンすることができる。
【実施例２】
【００５９】
本実施例２は、入力装置１１のチャンネルアップ・ダウンキーの操作によるチャンネルアップ・ダウン時、制御部８は、チャンネルマップにオーディオチャンネル情報「Ａ」が登録されているサブチャンネルのみのチャンネルアップ・ダウンを行うように制御する実施例である。
【００６０】
例えば、図３に示すチャンネルマップにおいて、物理チャンネル１３の中のサブチャンネル４の音楽番組が表示装置１２の図示しない内部スピーカまたはスピーカ装置１５から放音されている状態において、入力装置１１のチャンネルアップキーが操作されると、制御部８は、物理チャンネル１３の中のサブチャンネル５をスキップして次の物理チャンネル１４に移行し、この物理チャンネル１４の中でオーディオチャンネル情報「Ａ」が登録されているサブチャンネル１の音楽番組を表示装置１２の図示しない内部スピーカまたはスピーカ装置１５から放音する。なお、説明は省略するが、チャンネルダウンキーが操作された場合も同様に、ビデオチャンネルをスキップしながらオーディオチャンネルのみを順次選局していく。このような処理により、ユーザは、チャンネルアップ・ダウンキーの操作でビデオチャンネルをスキップしつつ、オーディオチャンネルのみを順次アップ・ダウンすることができる。
【実施例３】
【００６１】
本実施例３は、入力装置１１のチャンネルアップキーの操作によるチャンネルアップ時、制御部８は、チャンネルマップにオーディオチャンネル情報「Ａ」が登録されているサブチャンネルを飛ばしてチャンネルアップを行い、そのチャンネルアップが最大チャンネルまで到達した場合に、次にチャンネルアップを行うと、次にオーディオチャンネルの最小チャンネルを選局する実施例である。
【００６２】
図４に示すチャンネルマップにおいて、最大の物理チャンネル１３５の中のサブチャンネル１の通常番組が表示装置１２の画面に表示されている状態において、入力装置１１のチャンネルアップキーが操作されると、制御部８は、次のサブチャンネル２の通常番組を表示装置１２の画面に表示する。この状態において、入力装置１１のチャンネルアップキーが操作されると、制御部８は、オーディオチャンネル情報「Ａ」が登録されている次のサブチャンネル３，４をスキップしてサブチャンネル５の通常番組を表示装置１２の画面に表示する。そして、この状態において入力装置１１のチャンネルアップキーがさらに操作されると、制御部８は、最小の物理チャンネル２（図４では、物理チャンネル１は放送されていない。）に移行し、今度はビデオチャンネルをスキップしていく。すなわち、この物理チャンネル２の中でオーディオチャンネル情報「Ａ」が登録されているサブチャンネル２の音楽番組を表示装置１２の図示しない内部スピーカまたはスピーカ装置１５から放音する。この後、図示は省略しているが、チャンネルアップキーが操作されると、ビデオチャンネルをスキップしつつ、オーディオチャンネルのみを順次選局していく。
【００６３】
なお、上記実施例３では、入力装置１１のチャンネルアップキーの操作によるチャンネルアップ時、制御部８は、チャンネルマップにオーディオチャンネル情報「Ａ」が登録されているサブチャンネルを飛ばしてチャンネルアップを行い、そのチャンネルアップが最大チャンネルまで到達した場合に、次にチャンネルアップを行うと、次にオーディオチャンネルの最小チャンネルを選局する構成としているが、これとは逆に、入力装置１１のチャンネルアップキーの操作によるチャンネルアップ時、制御部８は、チャンネルマップにオーディオチャンネル情報「Ａ」が登録されているサブチャンネルのみのチャンネルアップを行い、そのチャンネルアップが最大チャンネルまで到達した場合に、次にチャンネルアップを行うと、次にビデオチャンネルの最小チャンネルを選局するように構成することも可能である。
【実施例４】
【００６４】
本実施例４は、入力装置１１のチャンネルダウンキーの操作によるチャンネルダウン時、制御部８は、チャンネルマップにオーディオチャンネル情報「Ａ」が登録されているサブチャンネルを飛ばしてチャンネルダウンを行い、そのチャンネルダウンが最小チャンネルまで到達した場合に、次にチャンネルダウンを行うと、次にオーディオチャンネルの最大チャンネルを選局する実施例である。
【００６５】
図５に示すチャンネルマップにおいて、最小の物理チャンネル２（図５では、物理チャンネル１は放送されていない。）２の中のサブチャンネル４の通常番組が表示装置１２の画面に表示されている状態において、入力装置１１のチャンネルダウンキーが操作されると、制御部８は、オーディオチャンネル情報「Ａ」が登録されているサブチャンネル３，２をスキップして、次のサブチャンネル１の通常番組を表示装置１２の画面に表示する。この状態において、入力装置１１のチャンネルダウンキーが操作されると、制御部８は、次に最大の物理チャンネル１３５に移行し、今度はビデオチャンネルをスキップしていく。すなわち、この物理チャンネル１３５の中でオーディオチャンネル情報「Ａ」が登録されている最大のサブチャンネル４の音楽番組を表示装置１２の図示しない内部スピーカまたはスピーカ装置１５から放音する。この後、図示は省略しているが、チャンネルダウンキーが操作されると、ビデオチャンネルをスキップしつつ、オーディオチャンネルのみを順次選局していく。
【００６６】
なお、上記実施例４では、入力装置１１のチャンネルダウンキーの操作によるチャンネルダウン時、制御部８は、チャンネルマップにオーディオチャンネル情報「Ａ」が登録されているサブチャンネルを飛ばしてチャンネルダウンを行い、そのチャンネルダウンが最小チャンネルまで到達した場合に、次にチャンネルダウンを行うと、次にオーディオチャンネルの最大チャンネルを選局する構成としているが、これとは逆に、入力装置１１のチャンネルダウンキーの操作によるチャンネルダウン時、制御部８は、チャンネルマップにオーディオチャンネル情報「Ａ」が登録されているサブチャンネルのみのチャンネルダウンを行い、そのチャンネルダウンが最小チャンネルまで到達した場合に、次にチャンネルダウンを行うと、次にビデオチャンネルの最大チャンネルを選局するように構成することも可能である。
【実施例５】
【００６７】
上記実施例１〜４では、チャンネルアップ・ダウンキーの操作が、ビデオチャンネルのアップ・ダウンであるのか、オーディオチャンネルのアップ・ダウンであるのかをどのように区別するのかについては述べていない。本実施例５では、入力装置１１にビデオチャンネルとオーディオチャンネルの選択キーまたは切替キーを設けておき、ユーザがこの選択キーでいずれかを選択、または切替キーでいずれかに切り替えることにより、ビデオチャンネルとオーディオチャンネルのどちらのチャンネルアップ・ダウンを行うのかを選択できるようにする。
【００６８】
すなわち、上記実施例１，３，４は、選択キーによってビデオチャンネルが選択され、または切替キーによってビデオチャンネルに切り替えられていた場合の実施例である。また、上記実施例２は、選択キーによってオーディオチャンネルが選択され、または切替キーによってオーディオチャンネルに切り替えられていた場合の実施例である。
【００６９】
なお、上記実施例３，４のなお書き部分については、選択キーによってオーディオチャンネルが選択され、または切替キーによってオーディオチャンネルに切り替えられていた場合の実施例である。
【００７０】
ただし、このような選択キーまたは切替キーの操作とは別に、制御部８は、初期設定として常にビデオチャンネルのアップ・ダウンを優先的に選択し、上記の切替キーが操作された場合にのみ、オーディオチャンネルのアップ・ダウンに移行するように構成してもよい。また、これとは逆に、制御部８は、初期設定として常にオーディオチャンネルのアップ・ダウンを優先的に選択し、上記の切替キーが操作された場合にのみ、ビデオチャンネルのアップ・ダウンに移行するように構成してもよい。
【実施例６】
【００７１】
本実施例６は、オーディオチャンネル受信時に表示装置１２の輝度を落とす省電力モードとする実施例である。オーディオチャンネルでは、基本的に表示装置１２の内部スピーカまたはスピーカ装置１５から音楽や音声のみが送出され、映像は表示されない。若しくは、映像を表示するとしても、静止画のような簡単な画像である。そこで、オーディオチャンネル受信時には、表示装置１２の輝度を落とすように制御する。例えば、表示装置１２がＣＲＴ等である場合にはブラウン管の輝度を落とし、表示装置１２が液晶テレビである場合にはバックライトの輝度を落とすように制御する。これにより、オーディオチャンネル受信時の無駄な電力消費を抑えることができる。
【実施例７】
【００７２】
本実施例７は、受信チャンネルがオーディオチャンネルである場合に、現在受信しているチャンネルがオーディオチャンネルであることを表示装置１２に表示する実施例である。このように、受信チャンネルがオーディオチャンネルであることを表示することで、ユーザは、現在の受信チャンネルがオーディオチャンネルであることを認識することができる。
【図面の簡単な説明】
【００７３】
【図１】本発明の放送信号受信装置の電気的構成を示す機能ブロック図である。
【図２】ＴＳ解析回路のより詳細なブロック構成図である。
【図３】メモリに記憶されているチャンネルマップの構成例を示す説明図である。
【図４】実施例３のチャンネル選局動作を説明するためのチャンネルマップを用いた説明図である。
【図５】実施例４のチャンネル選局動作を説明するためのチャンネルマップを用いた説明図である。
【符号の説明】
【００７４】
１  ＳＴＢ（放送信号受信装置）
２  チューナ（受信手段）
４  ＴＳ変換回路
６  ＴＳ解析回路
６ａ  トランスポートパーサ
６ｃ  ビデオデコーダ
６ｅ  ＯＳＤ回路
７  メモリ
８  制御部（登録手段、制御手段）
９  音声出力回路
１１  入力装置（選局手段、切替手段）
１２  表示装置
【図１】
2008035327.tif 000003
【図２】
2008035327.tif 000004
【図３】
2008035327.tif 000005
【図４】
2008035327.tif 000006
【図５】
2008035327.tif 000007